(57)【要約】      （修正有）【課題】室内空気成分のベンゼン、トルエン、キシレン、ホルムアルデヒドを正確かつ容易に測定できる揮発性有機化合物測定装置(ＶＯＣ)を提供する。【解決手段】低沸点成分(ＬＢ)用の第１ラインＬ１と、高沸点成分(ＨＢ)用の第２ラインＬ２と、Ｌ１とＬ２のキャリアガスＣ供給源を有するＶＯＣであって、Ｌ１がＬＢをＨＢから分離する第１プレカラムＰ１と、溶出したＬＢを吸脱着する第１メインカラムＭ１と、溶出した成分を検知する第１検出器Ｄ１を有し、Ｌ２がＨＢを更に高沸点の成分から分離する第２プレカラムＰ２と、溶出したＨＢを各成分に分離する第２メインカラムＭ２と、分離された各成分を検知する第２検出器Ｄ２を有し、ＬＢがＰ１から溶出した時点でＰ１とＭ１の間にＣを供給する第１供給ラインＧ１と、ＨＢがＰ２から溶出した時点でＰ２とＭ２の間にＣを供給する第２供給ラインＧ２を設け、Ｐ１とＰ２をバックフラッシュしてＣを上流に排出する。【選択図】図１
2005221341.tif 000002
【特許請求の範囲】
【請求項１】
サンプル入口と、低沸点の測定対象成分を検出するための第１ラインと、高沸点の複数の測定対象成分を検出するための第２ラインと、サンプル入口から取り込んだサンプルを第１ラインと第２ラインの両方に流すためのキャリアガスを供給するキャリアガス供給源とを有する揮発性有機化合物測定装置であって、
前記第１ラインが、低沸点の測定対象成分を高沸点の測定対象成分から分離して通過させる第１プレカラムと、この第１プレカラムから溶出した低沸点の測定対象成分を吸脱着する第１メインカラムと、この第１メインカラムから溶出した測定対象成分を検知する第１検出器とを有し、
前記第２ラインが、高沸点の複数の測定対象成分をこれらの測定対象成分よりもさらに高沸点の成分から分離させる第２プレカラムと、この第２プレカラムから溶出した高沸点の複数の測定対象成分を各測定対象成分に分離する第２メインカラムと、この第２メインカラムによって分離された各測定対象成分を検知する第２検出器とを有し、
前記低沸点の測定対象成分が第１プレカラムから溶出した時点で前記第１プレカラムと第１メインカラムの間にキャリアガスを供給する第１キャリアガス供給ラインと、高沸点の各測定対象成分が第２プレカラムから溶出した時点で第２プレカラムと第２メインカラムの間にキャリアガスを供給する第２キャリアガス供給ラインとを設け、
第１プレカラムと第２プレカラムの上流側において第１，第２キャリアガス供給ラインから供給されて第１プレカラムと第２プレカラムをバックフラッシュしたキャリアガスを排出する排出ガスラインを設けたことを特徴とする揮発性有機化合物測定装置。
【請求項２】
前記キャリアガスが精製空気であり、キャリアガス供給源が空気の精製器を有し、かつ、前記第１検出器および第２検出器が半導体ガスセンサである請求項１に記載の揮発性有機化合物測定装置。
【請求項３】
前記サンプル入口の下流側において第１ラインと第２ラインが分岐して設けてあり、  前記低沸点の測定対象成分が第１プレカラムから溶出して高沸点の測定対象成分から分離される時点と、前記高沸点の測定対象成分が第２プレカラムから溶出して測定対象成分よりもさらに高沸点の成分から分離される時点とを合わせるように、第１プレカラムの担体にコーティングする固定相を第２プレカラムの担体にコーティングする固定相よりも高負荷としてある請求項１または２に記載の揮発性有機化合物測定装置。
【発明の詳細な説明】
【技術分野】
【０００１】
本発明は、揮発性有機化合物測定装置に関し、たとえば、大気（特に新合成建材を用いた室内の空気）などのサンプル中に含まれるホルムアルデヒド、ベンゼン、トルエン、キシレンなどの揮発性有機化合物（ＶＯＣ）の測定を簡易的に行なう揮発性有機化合物測定装置に関するものである。
【背景技術】
【０００２】
従来より、ＶＯＣ測定においてホルムアルデヒドなどの測定と、トルエン、キシレンなどの測定は、それぞれ別の方法で行われている。例えば、ホルムアルデヒドを測定する場合は、検知紙法や検知管法など、色の変化によってホルムアルデヒドの有無を簡易的に検知する方法がある。ところが、色の変化によって検知する方法は、測定結果が肉眼による判断に依存するものとなるので、正確な測定が行えないという問題があった。
【０００３】
そこで、定電位電解法や、テープ光電光度法等も考えられているが、これらの手法を用いても干渉の影響が生じて感度などに問題が生じるだけでなく、簡便性、メンテナンス性等の点で満足できるものではなかった。
【０００４】
特許文献１に示される揮発性物質自動分析装置は、ホルムアルデヒドの選択性を向上するためにアルデヒド類を選択的に吸着する２，４−ジニトロフェニルヒドラジン（ＤＮＰＨ）を用いてアルデヒド類を吸着した後に、この吸着管を分析装置にセットすることにより、吸着管からアルデヒド類を脱着してその成分を分析するように構成された装置である。また、この分析装置はクロマトグラフ装置と各種分析装置を組み合わせたものである。
【特許文献１】特開２００３−１３０８６０公報
【発明の開示】
【発明が解決しようとする課題】
【０００５】
しかしながら、前記ＤＮＰＨを用いて選択的な吸着を行ったとしても他のアルデヒド類を吸着してしまうという問題があった。さらに、クロマトグラフ装置は複雑で取り扱いに専門知識を要する装置であるから、その取り扱いに特別なスキルを必要とし、簡易に取り扱うことができなかった。すなわち、クロマトグラフ装置はそのカラムに高沸点の物質を多く吸着するので、扱い方を誤ると測定を終了したときにカラム内に高沸点の物質の多くが残るなどして、これが後の測定結果に悪影響を与えることがあった。
【０００６】
このため、測定に長い時間をかけたり、トルエンやキシレン等の高沸点の物質が溶出できるようにカラムをかなり高温に昇温したり、不活性のキャリアガスを供給するために高圧ボンベを用いる必要があるために、特に低沸点物質と高沸点物質を含む試料の一回の測定に時間や費用がかかるという問題があった。
【０００７】
本発明は、上述の事柄に留意してなされたもので、その目的は、クロマトグラフィーを用いて、新合成建材などを用いた場合に放出される恐れが指摘されている室内空気質の成分であるベンゼン、トルエン、キシレンに加えてホルムアルデヒドなどの揮発性有機化合物を正確かつ容易に測定できる揮発性有機化合物測定装置を提供することである。
【課題を解決するための手段】
【０００８】
上記目的を達成するために、本発明の揮発性有機化合物測定装置は、サンプル入口と、低沸点の測定対象成分を検出するための第１ラインと、高沸点の複数の測定対象成分を検出するための第２ラインと、サンプル入口から取り込んだサンプルを第１ラインと第２ラインの両方に流すためのキャリアガスを供給するキャリアガス供給源とを有する揮発性有機化合物測定装置であって、前記第１ラインが、低沸点の測定対象成分を高沸点の測定対象成分から分離して通過させる第１プレカラムと、この第１プレカラムから溶出した低沸点の測定対象成分を吸脱着する第１メインカラムと、この第１メインカラムから溶出した測定対象成分を検知する第１検出器とを有し、前記第２ラインが、高沸点の複数の測定対象成分をこれらの測定対象成分よりもさらに高沸点の成分から分離させる第２プレカラムと、この第２プレカラムから溶出した高沸点の複数の測定対象成分を各測定対象成分に分離する第２メインカラムと、この第２メインカラムによって分離された各測定対象成分を検知する第２検出器とを有し、前記低沸点の測定対象成分が第１プレカラムから溶出した時点で前記第１プレカラムと第１メインカラムの間にキャリアガスを供給する第１キャリアガス供給ラインと、高沸点の各測定対象成分が第２プレカラムから溶出した時点で第２プレカラムと第２メインカラムの間にキャリアガスを供給する第２キャリアガス供給ラインとを設け、第１プレカラムと第２プレカラムの上流側において第１，第２キャリアガス供給ラインから供給されて第１プレカラムと第２プレカラムをバックフラッシュしたキャリアガスを排出する排出ガスラインを設けたことを特徴としている（請求項１）。
【０００９】
前記キャリアガスが精製空気であり、キャリアガス供給源が空気の精製器を有し、かつ、前記第１検出器および第２検出器が半導体ガスセンサであってもよい（請求項２）。
【００１０】
前記サンプル入口の下流側において第１ラインと第２ラインが分岐して設けてあり、前記低沸点の測定対象成分が第１プレカラムから溶出して高沸点の測定対象成分から分離される時点と、前記高沸点の測定対象成分が第２プレカラムから溶出して測定対象成分よりもさらに高沸点の成分から分離される時点とを合わせるように、第１プレカラムの担体にコーティングする固定相を第２プレカラムの担体にコーティングする固定相よりも高負荷としてあってもよい（請求項３）。
【発明の効果】
【００１１】
請求項１に記載の本発明の揮発性有機化合物測定装置では、ホルムアルデヒド等の常温で気体となる低沸点の測定対象成分と、ベンゼン、トルエン、キシレン等の常温で液体となる高沸点の測定対象成分とをクロマトグラフィーを用いて正確に、かつ、一台で同時に測定でき、室内空気質の各測定対象成分の濃度を短時間で得ることができる。とりわけ、第１プレカラムと、第１メインカラムはホルムアルデヒドのような低沸点の測定対象成分を他の成分と混じらないように確実に分離できるので、その量を正確かつ簡単に測定することができる。同様に、第２プレカラムは、ベンゼン、トルエン、キシレン等を他の成分と混じらないように分離でき、第２メインカラムはベンゼン、トルエン、キシレン等に加えて、エチルベンゼン、スチレンなどの成分もそれぞれ分離するので、各測定対象成分の量を正確かつ簡単に測定することができる。
【００１２】
また、測定に用いる第１プレカラムと第２プレカラムは何れも測定対象成分よりも高沸点の成分を捕獲し、測定対象成分を通すものである。したがって、低沸点の測定対象成分が第１プレカラムから溶出した後に、第１プレカラムと第１メインカラムの間にキャリアガスが供給されるように構成されているので、第１プレカラムに残される高沸点の測定対象成分を全てバックフラッシュできる。同様に高沸点の測定対象成分が第２プレカラムから溶出した後に、第２プレカラムと第２メインカラムの間にキャリアガスが供給されるように構成されているので、第２プレカラムに測定対象成分よりもさらに高沸点の成分が何も残ることがないようにバックフラッシュできる。
【００１３】
つまり、第１プレカラムも第２プレカラムも測定が終了する時点では吸着した成分をすべて自動的にバックフラッシュできるので、これが次の測定に悪影響を及ぼすことがない。このため、本発明の揮発性有機化合物測定装置は取り扱いが容易であって、使用者は特別なスキルがなくても極めて容易にホルムアルデヒドやベンゼン、トルエン、キシレンなどの揮発性有機化合物の各成分の測定を正確に行なうことができる。
【００１４】
前記キャリアガスが精製空気であり、キャリアガス供給源が空気の精製器を有し、かつ、前記第１検出器および第２検出器が半導体ガスセンサである場合（請求項２）には、周囲の空気を精製してキャリアガスとして用いることにより、キャリアガスを封入した高圧ボンベのようなものを用いる必要がなくなる。つまり、揮発性有機化合物測定装置のさらなる小型化を達成して、これを可搬型とすることができ、現場において手軽に揮発性有機化合物の各成分の測定を行なうことができる。
【００１５】
さらに、第１検出器および第２検出器が小型で安価な半導体ガスセンサであるから、揮発性有機化合物測定装置の構成がより簡単になるので、それだけ装置を安価にて形成できると共に、小型化も達成できるので取り扱いが容易となる。なお、上述した複数のカラムによって測定対象成分が十分に分離されているので、簡単な半導体ガスセンサを用いるだけで各測定対象成分を分離してその正確な濃度を測定することができる。また、半導体ガスセンサは測定時に酸素を必要とするが、キャリアガスが精製空気であるから測定のための酸素を十分に得ることができる。
【００１６】
前記サンプル入口の下流側において第１ラインと第２ラインが分岐して設けてあり、前記低沸点の測定対象成分が第１プレカラムから溶出して高沸点の測定対象成分から分離される時点と、前記高沸点の測定対象成分が第２プレカラムから溶出して測定対象成分よりもさらに高沸点の成分から分離される時点とを合わせるように、第１プレカラムの担体にコーティングする固定相を第２プレカラムの担体にコーティングする固定相よりも高負荷としてある場合（請求項３）には、サンプル入口を１箇所にすることができると共に、キャリアガス供給ライン上を流れるキャリアガスの流れを同時に制御することが可能であるから、これらを制御する電磁弁を一つにすることも可能であり、装置構成をさらに簡潔にすることができる。また、第１ラインと第２ラインに供給されるキャリアガスの流れが同時に切り換わるので、複雑な圧力変動やこれに伴う流れの不均一が生じることがない。
【００１７】
なお、低沸点の測定対象成分としてホルムアルデヒド、高沸点の測定対象成分としてベンゼン、トルエン、キシレンなどの揮発性有機化合物を測定する場合、第１プレカラムの担体に例えば３０％程度の高負荷の固定相をコーティングし、第２プレカラムの担体に例えば５％程度の低負荷の固定相をコーティングすることにより、第１プレカラムおよび第２プレカラムからそれぞれ溶出するホルムアルデヒドおよび揮発性有機化合物の溶出時間を合わせることができる。
【発明を実施するための最良の形態】
【００１８】
以下、本発明の実施形態を、図を参照しながら説明する。図１は、本発明に係るＶＯＣ測定装置１の第１実施例を示す図である。本実施例のＶＯＣ測定装置１は低沸点の測定対象成分として常温で気体のホルムアルデヒドと、高沸点の測定対象成分として常温で液体のベンゼン、トルエン、キシレン（以下、ＢＴＸという）とを含む揮発性有機化合物（ＶＯＣ）を測定するものである。
【００１９】
図１において、２はホルムアルデヒドを検出するための第１ライン、３はＢＴＸを検出するための第２ライン、４はサンプル入口、５はサンプル入口４に取り込んだサンプルを第１ライン２と第２ライン３の両方に流すためのキャリアガスＣを供給するキャリアガス供給源である。
【００２０】
前記第１ライン２は、ホルムアルデヒドをＢＴＸやＢＴＸよりも高沸点の成分から分離して通過させる第１プレカラム６と、この第１プレカラム６から溶出したホルムアルデヒドを吸着する第１メインカラム７と、この第１メインカラム７から溶出したホルムアルデヒドを検知する第１検出器８とを有している。
【００２１】
一方、前記第２ライン３は、ＢＴＸをＢＴＸよりさらに高沸点の成分から分離して通過させる第２プレカラム９と、この第２プレカラム９から溶出したＢＴＸをベンゼン、トルエン、キシレンに分離するための第２メインカラム１０と、この第２メインカラム１０によって分離されたベンゼン、トルエン、キシレンを検知する第２検出器１１とを有している。
【００２２】
１２は第１プレカラム６と第１メインカラム７の間にキャリアガスＣを供給する第１キャリアガス供給ライン、１３は第２プレカラムと第２メインカラムの間にキャリアガスを供給する第２キャリアガス供給ラインであり、１４は両キャリアガス供給ライン１２，１３へのキャリアガスＣの供給を断続制御する電磁弁である。なお、１２ａ，１３ａは第１，第２キャリアガス供給ライン１２，１３に設けられた流路抵抗である。
【００２３】
１５は前記第１プレカラム６と第２プレカラム９の上流側において、第１，第２キャリアガス供給ライン１２，１３から供給されて第１プレカラム６と第２プレカラム９をバックフラッシュしたキャリアガス（排出ガス）Ｅｘを排出する排出ガスライン、１６は排出ガスライン１５に設けられて排出ガスＥｘを断続制御する電磁弁であり、１５ａは排出ガスライン１５に設けられた流路抵抗である。また、１７は前記キャリアガス供給源５からサンプル入口４の上流側へのキャリアガスＣの供給を断続制御する電磁弁である。
【００２４】
本実施例のＶＯＣ測定装置１において、前記第１ライン２と第２ライン３はサンプル入口４の下流側の分岐点Ｐ1 において分岐する。すなわち、本実施例に示すＶＯＣ測定装置１はサンプル入口４を１つにしているので扱いやすい。
【００２５】
前記キャリアガス供給源５は例えば空気Ａを採取するポンプ２０と、ポンプ２０によって加圧状態にして供給される空気Ａの脈動を抑えるためのバッファ２１と、圧力レギュレータ２２と、例えばシリカゲルなどを用いた除湿器２３ａおよび活性炭を用いた濾過器２３ｂを有する精製器２３とからなる。すなわち、本実施例に示すＶＯＣ測定装置１では精製器２３によって精製された空気をキャリアガスＣとして用いることにより、高圧窒素ガスボンベのような大掛かりな構成を無くし、ＶＯＣ測定装置１の構成を簡単かつ小型化して、現場における直接的な測定を可能としている。
【００２６】
しかしながら、本発明のキャリアガス供給源５は上述の構成に限定されるものではなく、例えばヘリウムガスや窒素ガスのような不活性ガスのボンベなどによって形成してもよい。
【００２７】
前記第１プレカラム６は、例えば珪藻土系からなる担体を無極性固定相（例えば Apiezon grease や Dimethyl silicon ）によって高負荷（例えば３０％）コーティングすることにより、低沸点成分であるホルムアルデヒドを通過させる一方、ＢＴＸなどの高沸点成分を吸着トラップすることによりホルムアルデヒドをＢＴＸなどから大まかに分離する分離カラムである。
【００２８】
次いで、第１メインカラム７は、例えば Porapakや Chromosorb Century Seriesなどのポーラスポリマーであり、第１プレカラム６から溶出したホルムアルデヒドの吸着と脱着を繰り返すことにより、ホルムアルデヒドをこれよりさらに低沸点の成分から完全に分離する吸着カラムである。また、本実施例の第１検出器８は小型で安価な半導体ガスセンサである。
【００２９】
一方、前記第２プレカラム９は、例えば珪藻土系からなる担体を無極性固定相（例えば Apiezon grease や Dimethyl silicon ）によって低負荷（例えば５％）コーティングすることにより、低沸点のホルムアルデヒドは勿論のこと、高沸点の成分であるＢＴＸを通過させ、このＢＴＸよりもさらに高沸点の成分を吸着トラップすることによりＢＴＸをこれよりも高沸点の成分から大まかに分離する分離カラムである。
【００３０】
さらに、第２メインカラム１０は第２プレカラム９より幾らか高負荷（例えば１０％）の固定相をコーティングすることにより、ＢＴＸを各測定対象成分（ベンゼン、トルエン、キシレン）に詳細に分離する分離カラムである。なお、低沸点のホルムアルデヒドは第２メインカラム１０も速やかに通り抜けるのでＢＴＸと混合することはない。また、本実施例の第２検出器１１は小型で安価な半導体ガスセンサである。
【００３１】
すなわち、本実施例では、第１プレカラム６と第２プレカラム９の担体にコーティングする固定相の負荷に差を付けたことにより、第１プレカラム６と第２プレカラム９において常温で気体のホルムアルデヒドと常温で液体のＢＴＸとを同時に分離することができる。なお、各カラム６，７，９，１０を構成する担体はフッ素系担体であってもよい。同様にこの担体をコーティングする固定相は各種極性固定相であってもよい。
【００３２】
なお、半導体ガスセンサ８，１１は何れも測定時に酸素を必要としているが、本実施例ではキャリアガスＣとして空気Ａを精製したものを用いているので、測定に必要な酸素を別途注入する必要がない。しかしながら、キャリアガス供給源５が不活性ガスのボンベである場合には、半導体ガスセンサ８，１１の部分に酸素を別途供給することができる。
【００３３】
また、本発明は第１，第２検出器８，１１が半導体ガスセンサであることに限定されるものではなく、これらが質量分析計ＭＳや水素炎イオン化検出器ＦＩＤなど、種々の形態の検出器であってもよいことはいうまでもない。
【００３４】
図２は図１を用いて説明した前記ＶＯＣ測定装置１におけるシーケンス制御を説明する流れ図であり、図３，図４はシーケンス制御に伴うＶＯＣ測定装置１の状態を示す図である。
【００３５】
図２において、Ｓ１はＶＯＣ測定装置１の準備ステップである。すなわち、装置の電源ＯＮと共に、前記ポンプ２０を稼働してキャリアガスを供給すると共に、前記各カラム６，７，９，１０を約６０〜８０℃程度に温度調節する。なお、カラム６，７，９，１０の温度を約６０〜８０℃程度の温度に抑えて設定することにより、精製空気をキャリアガスＣとして用いても、カラム６，７，９，１０が劣化することを防止できる。
【００３６】
Ｓ２はキャリアガスＣの流れを制御するための流路制御ステップであって、具体的には、図３に示すように、前記電磁弁１４，１６を閉じると共に、電磁弁１７を開く。なお、図３および以下の図４には閉状態の電磁弁を黒に塗りつぶすことによって表現する。すなち、電磁弁１７が開いているので、キャリアガスＣは流れＦ1 ，Ｆ2 に示すように流れる。
【００３７】
Ｓ３はサンプルの注入ステップである。つまり、ここで使用者がサンプル入口４からサンプルとして大気を約２ｍＬ注入する。そして、これと同時に、図１に示していないマイクロコンピュータやシーケンサなどの自動制御装置が動作し、以下のステップＳ４〜Ｓ７に示すシーケンス制御が行われる。なお、本実施例の場合サンプルガスが大気であるから、このサンプルの取り入れはポンプ２０を用いて吸引した大気のうち所定量が、精製器２３をバイパスするようにして自動制御によって行ってもよい。その場合、精製器２３をバイパスする流路などがサンプル入口である。
【００３８】
ここで、Ｆ1 ，Ｆ2 に示すように流れるキャリアガスＣは、サンプル入口４に注入された測定対象のサンプルを運ぶとともに、分岐点Ｐ1 において半分に分岐して、カラム６，７またはカラム９，１０を流れる。そして、サンプル入口４に注入されたサンプルが第１プレカラム６および第２プレカラム９によって大まかに分離される。すなわち、まず、低沸点のホルムアルデヒド、次にＢＴＸ、さらにＢＴＸよりも高沸点の成分におよそ分離される。
【００３９】
また、第１プレカラム６を構成する担体にコーティングした固定相は、第２プレカラム９を構成する担体にコーティングした固定相よりも高負荷にしているので、第１プレカラム６は第２プレカラムに比べて遅く分離される。
【００４０】
Ｓ４は所定時間Ｔ1 の経過を待つ分離ステップである。すなわち、この所定時間Ｔ1 が経過する間に、ホルムアルデヒドは第１プレカラム６から溶出して、第１メインカラムに吸着される一方、第２プレカラム９からはホルムアルデヒドとＢＴＸが溶出して、比較的高沸点のＢＴＸのみが第２メインカラムによって吸着される。なお、第１プレカラム６から溶出するホルムアルデヒドよりさらに低沸点の成分は所定時間Ｔ1 が経過するまでに第１メインカラムを通過する。同様に、第２プレカラム９から溶出するホルムアルデヒドは所定時間Ｔ1 が経過するまでに第２メインカラムを通過する。
【００４１】
すなわち、所定時間Ｔ1 が経過するとき、第１メインカラムには常温で気体の測定対象成分であるホルムアルデヒドが、第２メインカラムには常温で液体の測定対象成分であるＢＴＸが吸着されている。一方、第１プレカラムにはＢＴＸおよびこのＢＴＸよりもさらに高沸点の成分が吸着され、第２プレカラムにはＢＴＸよりもさらに高沸点の成分が吸着される。
【００４２】
Ｓ５はキャリアガスＣの流れを変更するための流路制御ステップであって、具体的には、図４に示すように、前記電磁弁１４，１６を開くと共に、電磁弁１７を閉じる。これによって、キャリアガスＣの流れは、図４に示す２つの流れＦ3 ，Ｆ4 に示すように流れる。
【００４３】
すなわち、第１キャリアガス供給ライン１２から供給されるキャリアガスＣは流れＦ3 に示すように、第１プレカラム６と第１メインカラム７の間において分岐して、第１プレカラム６をバックフラッシュしながら排出ガスライン１５を介して排出される一方、第１メインカラム７内を流れて第１検出器８に流れる。また、第２キャリアガス供給ライン１３から供給されるキャリアガスＣは流れＦ4 に示すように、第２プレカラム９と第２メインカラム１０の間において分岐して、第２プレカラム９をバックフラッシュしながら排出ガスライン１５を介して排出される一方、第２メインカラム１０内を流れて第２検出器１１に流れる。
【００４４】
Ｓ６は第１，第２検出器８，１１を用いて測定を行なうステップである。ここで、本実施例においては第１，第２検出器８，１１は何れも半導体ガスセンサであるが、測定対象成分はカラム６，７，９，１０によって十分に分離されているので、干渉の影響を受けることなく検出することができる。
【００４５】
Ｓ７は所定時間Ｔ2 が経過したかどうかを判断するステップである。この所定時間Ｔ2 はカラム６，７，９，１０に吸着された全ての成分を溶出できる程度の時間であればよく、この所定時間Ｔ2 を自動制御によって確保することにより、カラム６，７，９，１０に残される成分を無くすことができる。つまり、使用者がガスクロマトグラフ装置についての特別な知識を全く持っていなくても、第１プレカラム６に残されたＢＴＸおよび高沸点の成分と、第２プレカラム９に残されたＢＴＸよりも高沸点の成分とを全て排出ガスＥｘとして外部に排出できるので、カラム６，７，９，１０の状態を常に適正に保つことができるので扱いやすい。
【００４６】
また、本実施例では、第２メインカラム１０を構成する担体にコーティングした固定相は、第２プレカラム９を構成する担体にコーティングした固定相よりも高負荷にしているので、第２メインカラム１０は第２プレカラムに比べて各成分を遅く分離することができる。したがって、図４に示すように、第２プレカラム９によってさらに高沸点の成分と大まかに分離したＢＴＸを各測定対象成分、すなわち、ベンゼン、トルエン、キシレンに分離することができ、これによって、ベンゼン、トルエン、キシレンの各測定対象成分の濃度を半導体ガスセンサ１１のような簡単な検出器によって精度よく測定することができる。
【００４７】
図５は本発明の第２実施例であるＶＯＣ測定装置１’の構成を示す図である。図５において、図１〜４と同じ符号を付した部材は同一または同等の部材であるから、その詳細な説明を省略する。
【００４８】
図５においては、第１ライン２の第１プレカラム６の上流側と、第２ライン３の第２プレカラム９の上流側に、それぞれ例えば大気をサンプルとして注入する２つのサンプル入口３０，３１を形成すると共に、これら第１，第２ライン２，３のそれぞれに流路抵抗２ａ，３ａを形成し、かつ、この流路抵抗２ａ，３ａの上流側の分岐点Ｐ2 において、第１ライン２と第２ライン３が分岐して設けてある。
【００４９】
また、本実施例におけるキャリアガス供給源５’は、キャリアガスＣ’として例えばヘリウムガス（不活性ガス）を封入したガスボンベ３２と圧力レギュレータ２２である。さらに、第１，第２キャリアガス供給ライン１２，１３にはそれぞれキャリアガスＣ’の供給を断続制御する電磁弁３３，３４を設けてある。なお、第１，第２キャリアガス供給ライン１２，１３に形成された流路抵抗１２ａ，１３ａは、第１，第２ライン２，３のそれぞれに形成した流路抵抗２ａ，３ａに比べて小さくなるように設定してある。
【００５０】
加えて、本実施例のキャリアガス供給源５’は、酸素を含まないキャリアガスＣ’を供給するものであるから、半導体ガスセンサからなる第１，第２検出器８，１１には測定時に酸素を供給するように構成している。また、本実施例の第１プレカラム６と第２プレカラム９はいずれも、例えば珪藻土系からなる担体を無極性固定相（例えば Apiezon grease や Dimethyl silicon ）によって高負荷（例えば１０％）コーティングしたものである。
【００５１】
そして、第１ライン２と第２ライン３のぞれぞれには、サンプル入口３０，３１の上流側で、前記流路抵抗２ａ，３ａの下流側にそれぞれ第１，第２排出ガスライン３５，３６を接続し、第１，第２排出ガスライン３５，３６のそれぞれに排出ガスＥｘの断続制御を行なう電磁弁３７，３８を設けてある。
【００５２】
本実施例のＶＯＣ測定装置１’を用いて、ＶＯＣの濃度を測定する場合にも、図１〜４を用いて説明したＶＯＣ測定装置１と同様に、自動制御によって各部の流路が切り換えられて、各測定対象成分の測定を行なうことができる。
【００５３】
すなわち、前記各カラム６，７，９，１０を例えば６０〜８０℃に温度調節した状態で、前記各電磁弁３３，３４，３７，３８を閉じ、キャリアガスＣ’を流すことにより、サンプル入口３０，３１に同時に注入したサンプルを分岐点Ｐ2 において分岐したキャリアガスＣ’によってそれぞれ第１，第２プレカラム６，９に流入させることができる。そして、本実施例においては、第１プレカラム６と第２プレカラム９の固定相が同じ負荷を有するものであるから、両プレカラム６，９からほぼ同時にホルムアルデヒドが溶出する。
【００５４】
前記ホルムアルデヒドの溶出が終わると、その時点で電磁弁３３，３７が開状態に切り換えられることにより、キャリアガス供給ライン１２を介して第１プレカラム６と第１メインカラム７の間に供給されたキャリアガスＣ’が第１プレカラム６をバックフラッシュしながら排出ガスライン３５を介して排出されると共に、第１メインカラム７に流れてホルムアルデヒドを第１検出器８側に流すことができる。
【００５５】
次いで、第２プレカラム９からＢＴＸが溶出すると、その時点で電磁弁３４，３８が開状態に切り換えられることにより、キャリアガス供給ライン１３を介して第２プレカラム９と第２メインカラム１０の間に供給されたキャリアガスＣ’が第２プレカラム９をバックフラッシュしながら排出ガスライン３６を介して排出されると共に、第２メインカラム１０に流れることにより各測定対象成分（ベンゼン、トルエン、キシレンン）に分離しながら第２検出器１１側に流すことができる。
【００５６】
したがって、本実施例のＶＯＣ測定装置１’を用いた場合にも、各カラム６，７，９，１０を用いて各測定対象成分の濃度をそれぞれ検出できるだけでなく、測定終了後にはカラム６，７，９，１０に吸着されている成分が何もない。したがって、使用者はクロマトグラフィーを用いた高度な分析を行っているにもかかわらず、何ら特別なスキルを持つ必要がなく扱いやすい。
【００５７】
なお、本実施例ではキャリアガス供給装置５’として不活性ガスをキャリアガスＣ’として供給する例を示しているので、前記各カラム６，７，９，１０を高温に加熱することも可能である。すなわち、第２プレカラム９を第１プレカラム６よりも高い温度になるように調節することにより、第２プレカラム９からＢＴＸが溶出する時点と、第１プレカラム６からホルムアルデヒドが溶出する時点を合わせることも可能である。この場合、キャリアガス供給装置５’以降のガスの流路を図１，３，４に示したものと同じとし、その制御方法も図２に示したものとほゞ同じ（ステップＳ１の設定温度が異なる）とすることができる。
【図面の簡単な説明】
【００５８】
【図１】本発明の揮発性有機化合物測定装置の第１実施例を示す図である。
【図２】前記揮発性有機化合物測定装置の動作を説明する図である。
【図３】図２の動作に伴うガスの流れを示す図である。
【図４】図２の動作に伴うガスの流れを示す図である。
【図５】本発明の揮発性有機化合物測定装置の第２実施例を示す図である。
【符号の説明】
【００５９】
１，１’  揮発性有機化合物測定装置
２    第１流路
３    第２流路
４，３０，３１  サンプル入口
５，５’  キャリアガス供給源
６    第１プレカラム
７    第１メインカラム
８    第１検出器（半導体ガスセンサ）
９    第２プレカラム
１０  第２メインカラム
１１  第２検出器（半導体ガスセンサ）
１２  第１キャリアガス供給ライン
１３  第２キャリアガス供給ライン
１５，３５，３６  排出ガスライン
２３  精製器
【図１】
2005221341.tif 000003
【図２】
2005221341.tif 000004
【図３】
2005221341.tif 000005
【図４】
2005221341.tif 000006
【図５】
2005221341.tif 000007